(57)【要約】【課題】ＬＥＤをストロボ光源としたストロボ撮影時に安定した色合いの画像が得られるデジタルカメラを提供する。【解決手段】発光ダイオードをストロボ光源に用いたストロボ装置１８を備えたデジタルカメラ１０において、ストロボ装置１８から実際に照射される光の色温度に応じたホワイトバランス補正値を用いてホワイトバランス補正を行なう。これにより、素子ごとに放射する光の色温度にバラツキのあるＬＥＤをストロボ光源に用いた場合であっても、安定した色合いの画像を得ることができる。【選択図】    図３
2004228723.tif 000002
【特許請求の範囲】
【請求項１】
発光ダイオードをストロボ光源に用いたストロボ装置を備えたデジタルカメラにおいて、
前記ストロボ装置を用いてストロボ撮影された画像のホワイトバランスを補正するための補正情報が記憶された記憶手段であって、前記ストロボ装置から実際に照射される光の色温度の検出結果に基づいて設定された補正情報が記憶された記憶手段と、
前記記憶手段に記憶された補正情報に基づいて前記ストロボ装置を用いてストロボ撮影された画像のホワイトバランスを補正するホワイトバランス補正手段と、
を備えたことを特徴とするデジタルカメラ。
【請求項２】
発光ダイオードをストロボ光源に用いたストロボ装置と、ストロボ撮影された画像のホワイトバランスを補正するための補正情報が記憶された記憶手段と、前記記憶手段に記憶された補正情報に基づいてストロボ撮影された画像のホワイトバランスを補正するホワイトバランス補正手段と、を備えたデジタルカメラにおいて、
前記記憶手段に記憶された補正情報を修正するための修正情報が記憶された修正情報記憶手段であって、前記記憶手段に記憶された補正情報が、前記ストロボ装置から実際に照射される光の色温度の検出結果に基づいて設定された補正情報と一致するために必要な修正情報が記憶された修正情報記憶手段と、
前記修正情報記憶手段に記憶された修正情報に基づいて前記記憶手段に記憶された補正情報を修正する修正手段と、
を備え、前記ホワイトバランス補正手段は、前記修正手段で修正された補正情報に基づいてストロボ撮影された画像のホワイトバランスを補正することを特徴とするデジタルカメラ。
【請求項３】
発光ダイオードをストロボ光源に用いたストロボ装置と、ストロボ撮影された画像のホワイトバランスを補正するための補正情報が記憶された記憶手段と、前記記憶手段に記憶された補正情報に基づいてストロボ撮影された画像のホワイトバランスを補正するホワイトバランス補正手段と、を備えたデジタルカメラにおいて、
前記発光ダイオードの周囲温度を検出する温度検出手段と、
前記記憶手段に記憶された補正情報を修正するための修正情報が記憶された修正情報記憶手段であって、前記発光ダイオードの周囲温度の変化に基づく前記補正情報の修正情報が記憶された修正情報記憶手段と、
前記温度検出手段の検出結果と、前記修正情報記憶手段に記憶された修正情報とに基づいて前記記憶手段に記憶された補正情報を修正する修正手段と、
を備え、前記ホワイトバランス補正手段は、前記修正手段で修正された補正情報に基づいてストロボ撮影された画像のホワイトバランスを補正することを特徴とするデジタルカメラ。
【請求項４】
発光ダイオードをストロボ光源に用いたストロボ装置と、ストロボ撮影された画像のホワイトバランスを補正するための補正情報が記憶された記憶手段と、前記記憶手段に記憶された補正情報に基づいてストロボ撮影された画像のホワイトバランスを補正するホワイトバランス補正手段と、を備えたデジタルカメラにおいて、
前記発光ダイオードに流れる電流値を検出する電流検出手段と、
前記記憶手段に記憶された補正情報を修正するための修正情報が記憶された修正情報記憶手段であって、前記発光ダイオードに流れる電流値の変化に基づく前記補正情報の修正情報が記憶された修正情報記憶手段と、
前記電流検出手段の検出結果と、前記修正情報記憶手段に記憶された修正情報とに基づいて前記記憶手段に記憶された補正情報を修正する修正手段と、
を備え、前記ホワイトバランス補正手段は、前記修正手段で修正された補正情報に基づいてストロボ撮影された画像のホワイトバランスを補正することを特徴とするデジタルカメラ。
【発明の詳細な説明】
【０００１】
【発明の属する技術分野】
本発明はデジタルカメラに係り、特に発光ダイオード（ＬＥＤ）をストロボ光源に用いたストロボ装置を備えたデジタルカメラに関する。
【０００２】
【従来の技術】
一般にカメラのストロボ装置は、光源にキセノン管を用いて構成されている。しかし、光源にキセノン管を用いたストロボ装置は、数ミリ秒程度の瞬間光しか発光できないため、スローシャッタでのストロボ撮影ができないという欠点があった。また、キセノン管は昼光色に近い分光特性をもっているため、朝方や夕方に逆光補正を目的としたストロボ撮影を行うと、不自然な色合いの写真となるという欠点があった。そこで、このようなキセノン管を光源としたストロボ装置の欠点を解消すべく、光源にＬＥＤを用いたストロボ装置が提案されている（たとえば、特許文献１）。
【０００３】
【特許文献１】
特開２００２−１１６４８１号公報
【０００４】
【発明が解決しようとする課題】
しかしながら、ＬＥＤは個々の製品間で放出する光の色温度にバラツキがあるため、デジタルカメラのストロボ光源に使用した場合、個々の製品間でホワイトバランスの補正結果にバラツキが生じるという欠点がある。
【０００５】
また、ＬＥＤは周囲温度や印加電流によって放出する光の色温度が変化し、そのときの周囲温度や印加電流によってホワイトバランスの補正結果にバラツキが生じるという欠点もある。
【０００６】
本発明は、このような事情に鑑みてなされたもので、ＬＥＤをストロボ光源としたストロボ撮影時に安定した色合いの画像が得られるデジタルカメラを提供することを目的とする。
【０００７】
【課題を解決するための手段】
請求項１に係る発明は、前記目的を達成するために、発光ダイオードをストロボ光源に用いたストロボ装置を備えたデジタルカメラにおいて、前記ストロボ装置を用いてストロボ撮影された画像のホワイトバランスを補正するための補正情報が記憶された記憶手段であって、前記ストロボ装置から実際に照射される光の色温度の検出結果に基づいて設定された補正情報が記憶された記憶手段と、前記記憶手段に記憶された補正情報に基づいて前記ストロボ装置を用いてストロボ撮影された画像のホワイトバランスを補正するホワイトバランス補正手段と、を備えたことを特徴とするデジタルカメラを提供する。
【０００８】
本発明によれば、ストロボ装置から実際に照射される光の色温度の検出結果に基づいてホワイトバランスの補正情報が設定され、この設定された補正情報に基づいてストロボ撮影された画像のホワイトバランスが補正される。これにより、個々のカメラ間でストロボ装置から照射される光の色温度にバラツキがある場合であっても同じ色合いの画像が得られる。
【０００９】
また、請求項２に係る発明は、前記目的を達成するために、発光ダイオードをストロボ光源に用いたストロボ装置と、ストロボ撮影された画像のホワイトバランスを補正するための補正情報が記憶された記憶手段と、前記記憶手段に記憶された補正情報に基づいてストロボ撮影された画像のホワイトバランスを補正するホワイトバランス補正手段と、を備えたデジタルカメラにおいて、前記記憶手段に記憶された補正情報を修正するための修正情報が記憶された修正情報記憶手段であって、前記記憶手段に記憶された補正情報が、前記ストロボ装置から実際に照射される光の色温度の検出結果に基づいて設定された補正情報と一致するために必要な修正情報が記憶された修正情報記憶手段と、前記修正情報記憶手段に記憶された修正情報に基づいて前記記憶手段に記憶された補正情報を修正する修正手段と、を備え、前記ホワイトバランス補正手段は、前記修正手段で修正された補正情報に基づいてストロボ撮影された画像のホワイトバランスを補正することを特徴とするデジタルカメラを提供する。
【００１０】
本発明によれば、ストロボ装置から実際に照射される光の色温度の検出結果に基づいて設定されたホワイトバランスの補正情報と一致するように記憶手段に記憶されたホワイトバランスの補正情報が修正され、この修正された補正情報に基づいてストロボ撮影された画像のホワイトバランスが補正される。これにより、個々のカメラ間でストロボ装置から照射される光の色温度にバラツキがある場合であっても同じ色合いの画像が得られる。
【００１１】
また、請求項３に係る発明は、前記目的を達成するために、発光ダイオードをストロボ光源に用いたストロボ装置と、ストロボ撮影された画像のホワイトバランスを補正するための補正情報が記憶された記憶手段と、前記記憶手段に記憶された補正情報に基づいてストロボ撮影された画像のホワイトバランスを補正するホワイトバランス補正手段と、を備えたデジタルカメラにおいて、前記発光ダイオードの周囲温度を検出する温度検出手段と、前記記憶手段に記憶された補正情報を修正するための修正情報が記憶された修正情報記憶手段であって、前記発光ダイオードの周囲温度の変化に基づく前記補正情報の修正情報が記憶された修正情報記憶手段と、前記温度検出手段の検出結果と、前記修正情報記憶手段に記憶された修正情報とに基づいて前記記憶手段に記憶された補正情報を修正する修正手段と、を備え、前記ホワイトバランス補正手段は、前記修正手段で修正された補正情報に基づいてストロボ撮影された画像のホワイトバランスを補正することを特徴とするデジタルカメラを提供する。
【００１２】
本発明によれば、発光ダイオードの周囲温度の変化に応じて記憶手段に記憶されたホワイトバランスの補正情報が修正され、この修正された補正情報に基づいてストロボ撮影された画像のホワイトバランスが補正される。これにより、発光ダイオードの周囲温度が変化して、ストロボ装置から照射される光の色温度が変化した場合であっても常に同じ色合いの画像が得られる。
【００１３】
また、請求項４に係る発明は、前記目的を達成するために、発光ダイオードをストロボ光源に用いたストロボ装置と、ストロボ撮影された画像のホワイトバランスを補正するための補正情報が記憶された記憶手段と、前記記憶手段に記憶された補正情報に基づいてストロボ撮影された画像のホワイトバランスを補正するホワイトバランス補正手段と、を備えたデジタルカメラにおいて、前記発光ダイオードに流れる電流値を検出する電流検出手段と、前記記憶手段に記憶された補正情報を修正するための修正情報が記憶された修正情報記憶手段であって、前記発光ダイオードに流れる電流値の変化に基づく前記補正情報の修正情報が記憶された修正情報記憶手段と、前記電流検出手段の検出結果と、前記修正情報記憶手段に記憶された修正情報とに基づいて前記記憶手段に記憶された補正情報を修正する修正手段と、を備え、前記ホワイトバランス補正手段は、前記修正手段で修正された補正情報に基づいてストロボ撮影された画像のホワイトバランスを補正することを特徴とするデジタルカメラを提供する。
【００１４】
本発明によれば、発光ダイオードに流れる電流変化に応じて記憶手段に記憶されたホワイトバランスの補正情報が修正され、この修正された補正情報に基づいてストロボ撮影された画像のホワイトバランスが補正される。これにより、発光ダイオードに流れる電流が変化して、ストロボ装置から照射される光の色温度が変化した場合であっても常に同じ色合いの画像が得られる。
【００１５】
【発明の実施の形態】
以下、添付図面に従って本発明に係るデジタルカメラの好ましい実施の形態について詳説する。
【００１６】
図１は本発明に係るデジタルカメラ１０の一実施形態を示す正面斜視図である。同図に示すように、カメラボディ１２の正面には、撮影レンズ１４、ファインダ窓１６、ストロボ装置１８、ストロボ調光窓２０等が設けられており、上面にはレリーズボタン２２、電源スイッチ２４等が設けられている。また、図示しないカメラボディ１２の背面には、ファインダ接眼部や液晶モニタ、各種操作ボタン類（たとえば、ズームキーやモードボタン、メニューボタン、十字ボタン）などが設けられている。
【００１７】
図２は、図１に示すデジタルカメラ１０に組み込まれたストロボ装置１８の発光部の構成を示す断面図である。同図に示すように、ストロボ装置１８の発光部は、光源としての発光ダイオード（ＬＥＤ）２６と、ＬＥＤ２６から放出された光を前方に向けて反射するリフレクタ２８と、ＬＥＤ２６から放出された光を拡散する拡散板３０とで構成されている。
【００１８】
ＬＥＤ２６は、回路基板３２に実装されており、高輝度で白色発光する。リフレクタ２８は、このＬＥＤ２６を囲むようにして回路基板３２に取り付けられている。また、拡散板３０は、リフレクタ２８内に一体的に取り付けられており、ＬＥＤ２６から放出される指向性の高い光を拡散する。
【００１９】
図３はデジタルカメラ１０の内部構成を示すブロック図である。同図に示すように、撮影レンズ１４と絞り１５を含むレンズユニット３４の後方には、固体撮像素子（ＣＣＤ）３６が配置されている。ＣＣＤ３６の受光面には、多数のフォトセンサが二次元配列されており、撮影レンズ１４及び絞り１５を介してＣＣＤ３６の受光面に結像された被写体像は、各フォトセンサによって入射光量に応じた量の信号電荷に変換される。そして、各フォトセンサに蓄積された信号電荷は、ＣＣＤ駆動回路３８から加えられるリードゲートパルスによってシフトレジスタに読み出され、レジスタ転送パルスによって信号電荷に応じた電圧信号として順次読み出される。
【００２０】
なお、このＣＣＤ３６は、蓄積した信号電荷をシャッタゲートパルスによって掃き出すことができ、これにより電荷の蓄積時間（シャッタスピード）を制御することができる（いわゆる、電子シャッタ機能）。
【００２１】
ＣＣＤ３６から順次読み出された電圧信号は、相関二重サンプリング回路（ＣＤＳ回路）４０に加えられ、ここで各画素ごとのＲ、Ｇ、Ｂ信号がサンプリングホールドされ、Ａ／Ｄ変換器４２に加えられる。Ａ／Ｄ変換器４２は、ＣＤＳ回路４０から順次加えられるアナログのＲ、Ｇ、Ｂ信号をデジタルのＲ、Ｇ、Ｂ信号に変換して出力する。
【００２２】
なお、ＣＣＤ駆動回路３８、ＣＤＳ回路４０及びＡ／Ｄ変換器４２は、タイミング発生回路（ＴＧ）４４から加えられるタイミング信号によって同期して駆動されている。
【００２３】
Ａ／Ｄ変換器４２から出力されたデジタルのＲ、Ｇ、Ｂ信号は、一旦メモリ４６に格納され、その後、デジタル信号処理回路４８に加えられる。
【００２４】
デジタル信号処理回路４８は、同時化回路５０、ホワイトバランス補正回路５２、ガンマ補正回路５４、ＹＣ信号作成回路５６及びメモリ５８等から構成されている。
【００２５】
同時化回路５０は、メモリ４６から読み出された点順次のＲ、Ｇ、Ｂ信号を同時式に変換し、Ｒ、Ｇ、Ｂ信号を同時にホワイトバランス補正回路５２に出力する。
【００２６】
ホワイトバランス補正回路５２は、Ｒ、Ｇ、Ｂ信号のデジタル値をそれぞれ増減するための乗算器５２Ｒ、５２Ｇ、５２Ｂを備えており、同時化回路５０から入力されたＲ、Ｇ、Ｂ信号は、それぞれ乗算器５２Ｒ、５２Ｇ、５２Ｂに加えられる。また、乗算器５２Ｒ、５２Ｇ、５２Ｂの他の入力には、中央処理装置（ＣＰＵ）６０からホワイトバランス制御のためのホワイトバランス補正値（ゲイン値）Ｗ（ＷＲ  、ＷＧ  、ＷＢ  ）が加えられる。乗算器５２Ｒ、５２Ｇ、５２Ｂは、それぞれ２入力を乗算し、乗算によってホワイトバランス補正されたＲ’、Ｇ’、Ｂ’信号をガンマ補正回路５４に出力する。
【００２７】
なお、ＣＰＵ６０からホワイトバランス補正回路５２に加えられるホワイトバランス補正値Ｗの詳細については後述する。
【００２８】
ガンマ補正回路５４は、ホワイトバランス補正されたＲ’、Ｇ’、Ｂ’信号が所望のガンマ特性となるように入出力特性を変更し、ＹＣ信号作成回路５６に出力する。
【００２９】
ＹＣ信号作成回路５６は、ガンマ補正されたＲ、Ｇ、Ｂ信号から輝度信号Ｙとクロマ信号Ｃｒ、Ｃｂとを作成する。これらの輝度信号Ｙとクロマ信号Ｃｒ、Ｃｂ（ＹＣ信号）は、メモリ４６と同じメモリ空間のメモリ５８に格納される。
【００３０】
ここで、メモリ５８内のＹＣ信号を読み出し、液晶モニタ６２に出力することによりスルー画像や撮影された静止画等をカメラボディ１２の背面に設けられた液晶モニタ６２に表示させることができる。
【００３１】
また、撮影後のＹＣ信号は、圧縮／伸長回路６４によって所定のフォーマットに圧縮されたのち、記録部６６にてメモリカードなどの記録メディアに記録される。
【００３２】
さらに、再生モード時にはメモリカードなどに記録されている画像データが圧縮／伸長回路６４にて伸長されたのち、液晶モニタ６２に出力され、液晶モニタ６２に再生画像が表示される。
【００３３】
ＣＰＵ６０は、レリーズボタン２２や電源スイッチ２４などを含むカメラ操作部６８からの入力に基づいて各回路を統括、制御するとともに、オートフォーカス制御、自動露出制御、ホワイトバランス制御等を行う。
【００３４】
オートフォーカス制御は、たとえばコントラストＡＦ方式で行なわれ、特定のフォーカスエリア内のＧ信号の高周波成分が最大になるように、撮影レンズ１４の移動を制御することにより行なわれる。ＣＰＵ６０は、特定のフォーカスエリア内のＧ信号の高周波成分が最大になるようにレンズ駆動部１４Ａを介して撮影レンズ１４の移動を制御する。
【００３５】
自動露出制御は、Ｒ、Ｇ、Ｂ信号を積算した積算値から被写体輝度（撮影ＥＶ値）を求め、求めた撮影ＥＶ値に基づいて絞りとシャッタスピードを制御することにより行なわれる。ＣＰＵ６０は、撮影ＥＶ値に基づいて絞り値とシャッタスピードを決定し、決定した絞り値となるように絞り駆動部１５Ａを介して絞り１５を制御するとともに、決定したシャッタスピードとなるようにＣＣＤ駆動回路３８を介して電荷蓄積時間を制御する。
【００３６】
また、ＣＰＵ６０は、撮影ＥＶ値に基づいてストロボ撮影の要否を判定し、ストロボ撮影が必要な場合は、ストロボ発光回路１８Ａを介してストロボ装置１８からストロボ光を発光させる。
【００３７】
ホワイトバランス制御は、光源種（被写界の色温度）を求め、求めた光源種に適したホワイトバランス補正値Ｗ（ＷＲ  、ＷＧ  、ＷＢ  ）を決定し、その決定したホワイトバランス補正値Ｗをホワイトバランス補正回路５２の乗算器５２Ｒ、５２Ｇ、５２Ｂに出力することにより行なわれる（通常撮影時）。
【００３８】
ここで、光源種（被写界の色温度）は、次のようにして求められる。まず、メモリ４６に一時格納されたＲ、Ｇ、Ｂ信号から、１画面を複数のエリア（たとえば、８×８）に分割し、各分割エリアごとにＲ、Ｇ、Ｂ信号の色別の平均積算値を求める。この各分割エリアごとのＲ、Ｇ、Ｂ信号の平均積算値は、積算回路７０によって算出され、ＣＰＵ６０に加えられる。積算回路７０とＣＰＵ６０との間には乗算器７２Ｒ、７２Ｇ、７２Ｂが設けられており、乗算器７２Ｒ、７２Ｇ、７２Ｂには、機器のバラツキを調整するための調整ゲイン値が加えられる。ＣＰＵ６０は、乗算器７２Ｒ、７２Ｇ、７２Ｂを介して積算回路７０から加えられた各分割エリアごとのＲ、Ｇ、Ｂ信号の平均積算値に基づいてデーライト（晴れ）、日陰−曇り、蛍光灯、タングステン電球等の光源種の判別を行う。
【００３９】
この光源種の判別は、分割エリアごとにＲ、Ｇ、Ｂ信号の色別の平均積算値の比Ｒ／Ｇ、Ｂ／Ｇを求め、続いて横軸をＲ／Ｇ、縦軸をＢ／Ｇとするグラフ上で、各光源種に対応する色分布の範囲を示す検出枠を設定する。そして、求めた各エリアごとの比Ｒ／Ｇ、Ｂ／Ｇに基づいて検出枠に入るエリアの個数を求め、被写体の輝度レベル及び検出枠に入るエリアの個数に基づいて光源種を判別する（特開２０００−２２４６０８  参照）  。
【００４０】
なお、ＣＣＤ３６から得られたＲ、Ｇ、Ｂ信号に基づいて自動的に光源種（被写界の色温度）を求める方法は、この実施の形態に限定されない。
【００４１】
ＣＰＵ６０は、上記のようにして光源種（被写界の色温度）を求めると、その光源種に適したホワイトバランス補正値Ｗ（ＷＲ  、ＷＧ  、ＷＢ  ）を決定し、その決定したホワイトバランス補正値Ｗをホワイトバランス補正回路５２の乗算器５２Ｒ、５２Ｇ、５２Ｂに出力する。これにより、乗算器５２Ｒ、５２Ｇ、５２Ｂからはホワイトバランス補正されたＲ’、Ｇ’、Ｂ’信号がガンマ補正回路１３２に出力される。
【００４２】
ここで、ホワイトバランス補正値Ｗ（ＷＲ  、ＷＧ  、ＷＢ  ）は、ＲＯＭ７４に記録されたテーブルを参照して決定される。このテーブルは、光源種（被写界の色温度）ごとにホワイトバランス補正値Ｗが対応付けられて作成されており、光源種（被写界の色温度）が求められると、その光源種に対応するホワイトバランス補正値Ｗが一意に決定される。なお、ＲＯＭ７４には、この光源種とホワイトバランス補正値との関係を示すテーブルのほか、カメラの動作プログラムや各種のデータが記録されている。
【００４３】
以上のようにストロボ装置１８を用いない通常撮影では、撮影に際して光源種を求め、求めた光源種に適したホワイトバランス補正値Ｗ（ＷＲ  、ＷＧ  、ＷＢ  ）をテーブルに基づいて決定し、決定したホワイトバランス補正値Ｗをホワイトバランス補正回路５２の乗算器５２Ｒ、５２Ｇ、５２Ｂに出力してホワイトバランス補正を行なう。
【００４４】
一方、ストロボ装置１８を用いたストロボ撮影の場合には、光源種の測定は行なわず、ストロボ光の色温度に応じたホワイトバランス補正値Ｗ０  （Ｗ０Ｒ、Ｗ０Ｇ、Ｗ０Ｂ）を用いてホワイトバランス補正を行う。すなわち、ストロボ撮影する場合、ＣＰＵ６０はストロボ撮影用のホワイトバランス補正値（ストロボ光の色温度に適したホワイトバランス補正値）Ｗ０  （Ｗ０Ｒ、Ｗ０Ｇ、Ｗ０Ｂ）をＲＯＭ７４から読み出し、ホワイトバランス補正回路５２の乗算器５２Ｒ、５２Ｇ、５２Ｂに出力する。
【００４５】
ここで、ＲＯＭ７４には、基準となる色温度Ｔ０  のストロボ光を発光した場合のホワイトバランス補正値Ｗ０  （Ｗ０Ｒ、Ｗ０Ｇ、Ｗ０Ｂ）が、ストロボ撮影用のホワイトバランス補正値として記録されている。したがって、この基準となる色温度Ｔ０  と同じ色温度のストロボ光をストロボ装置１８から発光させて撮影すれば、カラーバランスのとれた画像が得られる。
【００４６】
しかしながら、ストロボ装置１８の光源であるＬＥＤは、素子ごとに放出する光の色温度にバラツキがあり、必ずしも基準となる色温度と同じ色温度の光を放出するとは限らない。
【００４７】
そこで、本実施の形態のデジタルカメラでは、実際にストロボ装置１８から発光する光の色温度Ｔ１  を測定し、その色温度Ｔ１  に適したホワイトバランス補正値Ｗ１  （Ｗ１Ｒ、Ｗ１Ｇ、Ｗ１Ｂ）を用いてストロボ撮影時のホワイトバランス補正を行なうようにする。具体的には、次のようにして、ストロボ撮影時のホワイトバランス補正を行う。
【００４８】
まず、実際にストロボ装置１８から発光される光の色温度Ｔ１  を測定する。そして、その色温度Ｔ１  の光に適したホワイトバランス補正値Ｗ１  （Ｗ１Ｒ、Ｗ１Ｇ、Ｗ１Ｂ）を求める。求めた実際のホワイトバランス補正値Ｗ１  （Ｗ１Ｒ、Ｗ１Ｇ、Ｗ１Ｂ）と、ＲＯＭ７４に記録された基準となるホワイトバランス補正値Ｗ０  （Ｗ０Ｒ、Ｗ０Ｇ、Ｗ０Ｂ）との差分ΔＷ（ΔＷ＝Ｗ０  −Ｗ１  ）を求め、これを修正値としてＥＥＰＲＯＭ７６に記録する。すなわち、ＲＯＭ７４に記録された基準となるホワイトバランス補正値Ｗ０  を実際にストロボ装置１８から発光されるストロボ光の色温度Ｔ１  に適したホワイトバランス補正値Ｗ１  （Ｗ１Ｒ、Ｗ１Ｇ、Ｗ１Ｂ）に修正するための修正値ΔＷ（ΔＷＲ  、ΔＷＧ  、ΔＷＢ  ）を求め、これをＥＥＰＲＯＭ７６に記録しておく（ΔＷＲ  ＝Ｗ０Ｒ−Ｗ１Ｒ、ΔＷＧ  ＝Ｗ０Ｇ−Ｗ１Ｇ、ΔＷＢ  ＝Ｗ０Ｂ−Ｗ１Ｂ）。
【００４９】
ＣＰＵ６０は、ストロボ撮影時、ストロボ撮影用の基準となるホワイトバランス補正値Ｗ０  （Ｗ０Ｒ、Ｗ０Ｇ、Ｗ０Ｂ）をＲＯＭ７４から読み出すとともに、ＥＥＰＲＯＭ７６から修正値ΔＷ（ΔＷＲ  、ΔＷＧ  、ΔＷＢ  ）を読み出す。そして、修正値ΔＷ（ΔＷＲ  、ΔＷＧ  、ΔＷＢ  ）を用いて基準となるホワイトバランス補正値Ｗ０  （Ｗ０Ｒ、Ｗ０Ｇ、Ｗ０Ｂ）を実際のストロボ光の色温度Ｔ１  に適したホワイトバランス補正値Ｗ１  （Ｗ１Ｒ、Ｗ１Ｇ、Ｗ１Ｂ）に修正し、これをホワイトバランス補正回路５２の乗算器５２Ｒ、５２Ｇ、５２Ｂに出力する。
【００５０】
これにより、放出する光の色温度にバラツキのあるＬＥＤをストロボ光源に用いた場合であっても、カメラごとにカラーバランスのバラツキを生じさせることなく、どのカメラでも同じ色合いの画像を得ることができる。
【００５１】
なお、実際のストロボ光の色温度Ｔ１  については、デジタルカメラ１０の製造後、色温度測定器にて測定する。すなわち、実際にストロボ装置１８からストロボ光を発光させ、その光の色温度を色温度測定器で測定する。そして、測定された光の色温度Ｔ１  に適したホワイトバランス補正値Ｗ１  を求め、ＲＯＭ７４に記録されたストロボ撮影用の基準となるホワイトバランス補正値Ｗ０  との差分ΔＷを演算して、修正値を取得する。
【００５２】
取得した修正値ΔＷについては、たとえばデジタルカメラ１０に備えられた通信機能（たとえば、ＵＳＢ、ＩＥＥＥ１３９４など）を利用してＥＥＰＲＯＭ７６に書き込む。すなわち、たとえばデジタルカメラ１０とパーソナルコンピュータをＵＳＢケーブルにて接続し、パーソナルコンピュータ側からデジタルカメラ側に修正値のデータを送信し、その送信された修正値のデータをＥＥＰＲＯＭ７６に書き込む。
【００５３】
また、画像記録用の記録メディアを利用して修正値のデータを取得してもよい。すなわち、修正値のデータを記録した記録メディアをデジタルカメラ１０に装填し、その記録メディアから修正値のデータを取得して、ＥＥＰＲＯＭ７６に書き込むようにしてもよい。
【００５４】
また、修正値のデータを記録する記録手段については、ＥＥＰＲＯＭに限らず、他の記録手段を用いてもよい。
【００５５】
次に、本発明に係るデジタルカメラの第２の実施の形態について説明する。なお、装置の基本構成は、上述した第１の実施の形態のデジタルカメラと同じなので、その説明は省略する。
【００５６】
上述した第１の実施の形態のデジタルカメラでは、ＲＯＭ７４に記録されたホワイトバランス補正値Ｗ０  をＥＥＰＲＯＭ７６に記録された修正値ΔＷにて修正することにより、実際のストロボ光の色温度に適したホワイトバランス補正値Ｗ１  を得ている。
【００５７】
本実施の形態のデジタルカメラ１０では、ＥＥＰＲＯＭ７６に実際のストロボ光の色温度に適したホワイトバランス補正値Ｗ１  を記録しておき、このＥＥＰＲＯＭ７６に記録されたホワイトバランス補正値Ｗ１  を利用してホワイトバランス補正を行なう。
【００５８】
ＥＥＰＲＯＭ７６へのホワイトバランス補正値Ｗ１  の記録方法は、上述した第１の実施の形態のデジタルカメラ１０と同様にデジタルカメラに備えられた通信機能や記録メディアを利用して記録する。
【００５９】
本実施の形態のデジタルカメラでは、ストロボ撮影時、ＣＰＵ６０は、ＥＥＰＲＯＭ７６からホワイトバランス補正値Ｗ１  （Ｗ１Ｒ、Ｗ１Ｇ、Ｗ１Ｂ）を読み出し、これをホワイトバランス補正回路５２の乗算器５２Ｒ、５２Ｇ、５２Ｂに出力して、ホワイトバランス補正を行なう。
【００６０】
これにより、上述した第１の実施の形態のデジタルカメラと同様に放出する光の色温度にバラツキのあるＬＥＤをストロボ光源に用いた場合であっても、カメラごとにカラーバランスのバラツキを生じさせることなく、どのカメラであっても同じ色合いの画像を得ることができる。
【００６１】
なお、ストロボ撮影時のホワイトバランス補正値とともに通常撮影時のホワイトバランス補正値のテーブルもＥＥＰＲＯＭ７６に記録しておいてもよい。
【００６２】
図４は、本発明に係るデジタルカメラの第３の実施の形態の内部構成を示すブロック図である。
【００６３】
同図に示すように、本実施の形態のデジタルカメラ１００は、ストロボ装置１８にストロボ光源であるＬＥＤの周辺温度を検出する温度センサ１０２を備えている点で上述した第１の実施の形態のデジタルカメラ１０と相違している。なお、その他の構成は、上述した第１の実施の形態のデジタルカメラ１０と同じなので、第１の実施の形態のデジタルカメラ１０と同じ構成部材には、同じ符号を付して、その説明は省略する。
【００６４】
ストロボ光源であるＬＥＤは、周辺温度の変化に応じて放出する光の色温度が変化する。図５は、ＬＥＤの周囲温度Ｔの変化に対する色温度の変化軌跡を示すｘｙ色度図である（ＬＥＤに流れる電流（順電流）が２０ｍＡの時）。同図に示すように、ＬＥＤの周囲温度が高温側から低温側に変化すると、それに伴いＬＥＤが放出する光の色温度も高温側から低温側へと変化する。
【００６５】
したがって、ストロボ撮影された画像データに対して一定のホワイトバランス補正値でホワイトバランス補正を行なうと、ＬＥＤの周囲温度が変化した場合に異なる色合いの画像になるという問題がある。
【００６６】
そこで、本実施の形態のデジタルカメラ１００では、ＬＥＤの周囲温度の変化に応じてホワイトバランス補正値を修正する。
【００６７】
図４に示すように、ストロボ装置１８には、光源であるＬＥＤの周囲温度を検出する温度センサ１０２が備えられている。温度センサ１０２で検出されたＬＥＤの周囲温度は、Ａ／Ｄ変換器１０４を介してＣＰＵ６０に入力される。
【００６８】
一方、ＥＥＰＲＯＭ７６には、ＬＥＤの周囲温度Ｔとホワイトバランス補正値ＷＴ  （ＷＴＲ、ＷＴＧ、ＷＴＢ）との対応関係を示すテーブルが記録されており、このテーブルを参照することにより、ＬＥＤの周囲温度Ｔに応じてホワイトバランス補正値ＷＴ  （ＷＴＲ、ＷＴＧ、ＷＴＢ）が一意に定まるようにされている。
【００６９】
ＣＰＵ６０は、ストロボ撮影時、温度センサ１０２からＡ／Ｄ変換器１０４をＬＥＤの周囲温度Ｔを取得し、その周囲温度Ｔに応じたホワイトバランス補正値ＷＴ  （ＷＴＲ、ＷＴＧ、ＷＴＢ）をＥＥＰＲＯＭ７６に記録されたテーブルに基づいて決定する。そして、その決定したホワイトバランス補正値ＷＴ  （ＷＴＲ、ＷＴＧ、ＷＴＢ）をホワイトバランス補正回路５２の乗算器５２Ｒ、５２Ｇ、５２Ｂに出力し、撮影された画像データに対してホワイトバランス補正をかける。
【００７０】
これにより、ＬＥＤの周囲温度が変化してＬＥＤから放出される光の色温度が変化した場合であっても、常に安定したカラーバランスの画像を得ることができる。
【００７１】
なお、本実施の形態では、ＬＥＤの周囲温度Ｔごとのホワイトバランス補正値ＷＴ  （ＷＴＲ、ＷＴＧ、ＷＴＢ）がテーブルとしてＥＥＰＲＯＭ７６に記録されているが、基準となるホワイトバランス補正値、たとえばＬＥＤの周囲温度Ｔが２０℃の時のホワイトバランス補正値Ｗ２０（Ｗ２０Ｒ  、Ｗ２０Ｇ  、Ｗ２０Ｂ  ）をＲＯＭ７４に記録しておき、ＥＥＰＲＯＭ７６には、ＬＥＤの周囲温度Ｔごと修正値ΔＷＴ  （周囲温度Ｔごとの基準となるホワイトバランス補正値Ｗ２０の修正値）をテーブルとして記憶しておくようにしてもよい。
【００７２】
この場合、ＣＰＵ６０は、周囲温度Ｔに応じた修正値ΔＷＴ  をＥＥＰＲＯＭ７６に記録されたテーブルから取得し、基準となるホワイトバランス補正値Ｗ２０を修正する。そして、その修正したホワイトバランス補正値ＷＴ  （ＷＴＲ、ＷＴＧ、ＷＴＢ）をホワイトバランス補正回路５２の乗算器５２Ｒ、５２Ｇ、５２Ｂに出力し、ホワイトバランス補正をかける。
【００７３】
また、ＥＥＰＲＯＭ７６へのホワイトバランス補正値の記録方法は、上述した第１の実施の形態のデジタルカメラ１０と同様にデジタルカメラに備えられた通信機能や記録メディアを利用して記録する。
【００７４】
なお、各周囲温度Ｔに応じたホワイトバランス補正値は、全てのデジタルカメラにおいて画一的に設定してもよいが、上述した第１の実施の形態のようにＬＥＤは素子ごとに発光する色温度にバラツキがあるので、実際にストロボ装置１８から発光される光の色温度に基づいて設定することが好ましい。
【００７５】
図６は、本発明に係るデジタルカメラの第４の実施の形態の内部構成を示すブロック図である。
【００７６】
同図に示すように、本実施の形態のデジタルカメラ１１０は、ストロボ装置１８にＬＥＤに流れる電流（順電流）を測定する電流計１１２を備えている点で上述した第１の実施の形態のデジタルカメラ１０と相違している。なお、その他の構成は、上述した第１の実施の形態のデジタルカメラ１０と同じなので、第１の実施の形態のデジタルカメラ１０と同じ構成部材には、同じ符号を付して、その説明は省略する。
【００７７】
ストロボ光源であるＬＥＤは、ＬＥＤに流れる電流の変化に応じて放出する光の色温度が変化する。図７は、ＬＥＤに流れる電流Ｉの変化に対する色温度の変化軌跡を示すｘｙ色度図である（ＬＥＤの周囲温度が２０℃の時）。同図に示すように、ＬＥＤに流れる電流Ｉが低くなるに従ってＬＥＤが放出する光の色温度も低温側へと移行する。
【００７８】
したがって、ストロボ撮影された画像データに対して一定のホワイトバランス補正値でホワイトバランス補正を行なうと、ＬＥＤに流れる電流が変化した場合に異なる色合いの画像になるという問題がある。
【００７９】
そこで、本実施の形態のデジタルカメラ１００では、ＬＥＤに流れる電流の変化に応じてホワイトバランス補正値を修正する。
【００８０】
図６に示すように、ストロボ装置１８には、光源であるＬＥＤに流れる電流を測定する電流計１１２が備えられている。電流計１１２で測定された電流値は、Ａ／Ｄ変換器１１４を介してＣＰＵ６０に入力される。
【００８１】
一方、ＥＥＰＲＯＭ７６には、ＬＥＤに流れる電流Ｉとホワイトバランス補正値ＷＩ  （ＷＩＲ、ＷＩＧ、ＷＩＢ）との対応関係を示すテーブルが記録されており、このテーブルを参照することにより、ＬＥＤに流れる電流Ｉに応じてホワイトバランス補正値ＷＩ  （ＷＩＲ、ＷＩＧ、ＷＩＢ）が一意に定まるようにされている。
【００８２】
ＣＰＵ６０は、ストロボ撮影時、電流計１１２からＡ／Ｄ変換器１１４を介してＬＥＤに流れる電流Ｉを取得し、その電流Ｉに応じたホワイトバランス補正値ＷＩ  （ＷＩＲ、ＷＩＧ、ＷＩＢ）をＥＥＰＲＯＭ７６に記録されたテーブルに基づいて決定する。そして、その決定したホワイトバランス補正値ＷＩ  （ＷＩＲ、ＷＩＧ、ＷＩＢ）をホワイトバランス補正回路５２の乗算器５２Ｒ、５２Ｇ、５２Ｂに出力し、撮影された画像データに対してホワイトバランス補正をかける。
【００８３】
これにより、ＬＥＤに流れる電流が変化してＬＥＤから放出される光の色温度が変化した場合であっても、常に安定したカラーバランスの画像を得ることができる。
【００８４】
なお、本実施の形態では、ＬＥＤに流れる電流ごとのホワイトバランス補正値ＷＩ  （ＷＩＲ、ＷＩＧ、ＷＩＢ）がテーブルとしてＥＥＰＲＯＭ７６に記録されているが、基準となるホワイトバランス補正値、たとえばＬＥＤに流れる電流Ｉが２０ｍＡの時のホワイトバランス補正値Ｗ２０（Ｗ２０Ｒ  、Ｗ２０Ｇ  、Ｗ２０Ｂ  ）をＲＯＭ７４に記録しておき、ＥＥＰＲＯＭ７６には、ＬＥＤのに流れる電流Ｉごと修正値ΔＷＩ  （ＬＥＤに流れる電流Ｉごとの基準となるホワイトバランス補正値Ｗ２０の修正値）をテーブルとして記憶しておくようにしてもよい。
【００８５】
この場合、ＣＰＵ６０は、ＬＥＤに流れる電流Ｉに応じた修正値ΔＷＩ  をＥＥＰＲＯＭ７６に記録されたテーブルから取得し、基準となるホワイトバランス補正値Ｗ２０を修正する。そして、その修正したホワイトバランス補正値ＷＩ  （ＷＩＲ、ＷＩＧ、ＷＩＢ）をホワイトバランス補正回路５２の乗算器５２Ｒ、５２Ｇ、５２Ｂに出力し、撮影された画像データに対してホワイトバランス補正をかける。
【００８６】
また、ＥＥＰＲＯＭ７６へのホワイトバランス補正値の記録方法は、上述した第１の実施の形態のデジタルカメラ１０と同様にデジタルカメラに備えられた通信機能や記録メディアを利用して記録する。
【００８７】
なお、電流値Ｉごとのホワイトバランス補正値は、全てのデジタルカメラにおいて画一的に設定してもよいが、上述した第１の実施の形態のようにＬＥＤは素子ごとに発光する色温度にバラツキがあるので、実際にストロボ装置１８から発光される光の色温度に基づいて設定することが好ましい。
【００８８】
以上説明したように、本発明に係るデジタルカメラによれば、素子ごとに放出する色温度にバラツキのあるＬＥＤをストロボ光源に用いた場合であっても、カメラごとにカラーバランスのバラツキを生じさせることなく、どのカメラであっても同じ色合いの画像を得ることができる。
【００８９】
また、周囲温度が変化したり、ＬＥＤに流れる電流が変化して放出する光の色温度が変化した場合であっても、常に一定のカラーバランスに保つことができ、安定した画像を得ることができる。
【００９０】
なお、上述した一連の実施の形態では、白色発光するＬＥＤをストロボ光源に用いた場合を例に説明したが、赤色発光するＬＥＤと、緑色発光するＬＥＤと、青色発光するＬＥＤの３つのＬＥＤをストロボ光源に用いたストロボ装置についても同様に本発明を適用することができる。
【００９１】
また、上述した実施の形態では、ホワイトバランス処理をデジタル信号処理回路４８内で行うようにしているが、ＣＤＳ回路及び図示しないゲインコントロールアンプ等を含むアナログ信号処理回路内で行うようにしてもよい。
【００９２】
また、ホワイトバランス補正は、色差信号Ｃｒ  、Ｃｂ  にある値を加算又は減算させることによって行う方法もある。
【００９３】
【発明の効果】
以上説明したように、本発明によれば、実際にストロボ装置から発光される光の色温度に基づいてホワイトバランス補正を行なうようにしているので、ＬＥＤをストロボ光源に用いた場合であっても、常に安定した色合いの画像を得ることができる。
【００９４】
また、周囲温度が変化、あるいはＬＥＤに流れる電流の変化に応じてホワイトバランス補正を行なっているので、常に安定した色合いの画像を得ることができる。
【図面の簡単な説明】
【図１】本発明に係るデジタルカメラの一実施形態を示す正面斜視図
【図２】ストロボ装置の発光部の構成を示す断面図
【図３】デジタルカメラの内部構成を示すブロック図
【図４】第３の実施の形態のデジタルカメラの内部構成を示すブロック図
【図５】ＬＥＤの周囲温度Ｔの変化に対する色温度の変化軌跡を示すｘｙ色度図
【図６】第４の実施の形態のデジタルカメラの内部構成を示すブロック図
【図７】ＬＥＤに流れる電流Ｉの変化に対する色温度の変化軌跡を示すｘｙ色度図
【符号の説明】
１０…デジタルカメラ、１２…カメラボディ、１４…撮影レンズ、１４Ａ…レンズ駆動部、１５…絞り、１５Ａ…絞り駆動部、１６…ファインダ窓、１８…ストロボ装置、２０…ストロボ調光窓、２２…レリーズボタン、２４…電源スイッチ、２６…発光ダイオード（ＬＥＤ）、２８…リフレクタ、３０…拡散板、３２…回路基板、３４…レンズユニット、３６…固体撮像素子（ＣＣＤ）、３８…ＣＣＤ駆動回路、４０…相関二重サンプリング回路（ＣＤＳ回路）、４２…Ａ／Ｄ変換器、４４…タイミング発生回路（ＴＧ）、４８…デジタル信号処理回路、５０…同時化回路、５２…ホワイトバランス補正回路、５２Ｒ、５２Ｇ、５２Ｂ…乗算器、５４…ガンマ補正回路、５６…ＹＣ信号作成回路、５８…メモリ、６０…中央処理装置（ＣＰＵ）、６２…液晶モニタ、６４…圧縮／伸長回路、６６…記録部、６８…カメラ操作部、７０…積算回路、７２Ｒ、７２Ｇ、７２Ｂ…乗算器、７４…ＲＯＭ、７６…ＥＥＰＲＯＭ、１００…デジタルカメラ、１０２…温度センサ、１０４…Ａ／Ｄ変換器、１１０…デジタルカメラ、１１２…電流計、１１４…Ａ／Ｄ変換器
【図１】
2004228723.tif 000003
【図２】
2004228723.tif 000004
【図３】
2004228723.tif 000005
【図４】
2004228723.tif 000006
【図５】
2004228723.tif 000007
【図６】
2004228723.tif 000008
【図７】
2004228723.tif 000009